(57)【要約】      （修正有）【課題】収納部中の収納物が落下するのを確実に防止できる財布を提供すること。【解決手段】本体部１０と、蓋体部１１と、を備える。蓋体部１１は、本体部１０に対して開閉できる。蓋体部１１には、硬貨収納部が設けられている。硬貨収納部には、開口部２０が設けられている。開口部２０には、閉じ部１５、１６、１７が設けられている。閉じ部１５、１６、１７は、蓋体部１１を閉じた時に、開口部２０を閉じる。この結果、硬貨収納部中の硬貨が落下するのを確実に防止できる。【選択図】図２
2020089544.tif 000002
【特許請求の範囲】
【請求項１】
複数個の収納部を有し、かつ、複数個の前記収納部には開口部がそれぞれ設けられている財布であって、
前記財布は、
一部分の本体部と、
残りの一部分の蓋体部と、
を備え、
前記蓋体部は、前記本体部に対して開閉でき、
少なくとも１個の前記開口部の縁には、前記蓋体部を閉じた時に、少なくとも１個の前記開口部を閉じる閉じ部が、設けられている、
ことを特徴とする財布。
【請求項２】
少なくとも１個の前記収納部は、前記蓋体部に設けられている硬貨収納部であり、
前記閉じ部は、前記硬貨収納部の前記開口部の縁に設けられている、
ことを特徴とする請求項１に記載の財布。
【請求項３】
前記本体部には、前記蓋体部を開いた時に、複数個の前記収納部中の収納物が前記財布から脱落するのを防止する脱落防止部が、設けられている、
ことを特徴とする請求項１または２に記載の財布。
【請求項４】
少なくとも１個の前記収納部は、前記蓋体部に設けられている硬貨収納部であり、
前記硬貨収納部の前記開口部の縁は、開閉する２つの縁からなり、
前記閉じ部は、前記硬貨収納部の前記開口部の２つの縁にそれぞれ設けられていて、
前記硬貨収納部の前記開口部の一方の縁に設けられている前記閉じ部には、前記蓋体部を開いた時に、展開して、前記硬貨収納部中の硬貨が前記財布から脱落するのを防止する硬貨脱落防止部が、設けられている、
ことを特徴とする請求項１〜３のいずれか１項に記載の財布。
【請求項５】
硬貨収納部、紙幣収納部およびカード収納部の複数個の収納部を有し、かつ、複数個の前記収納部には開口部がそれぞれ設けられている財布であって、
前記財布は、
前記紙幣収納部および前記カード収納部が設けられている一部分の本体部と、
前記硬貨収納部が設けられていて、前記本体部に対して開閉できる残りの一部分の蓋体部と、
を備え、
前記硬貨収納部の前記開口部の縁には、前記蓋体部を閉じた時に、前記硬貨収納部の前記開口部を閉じる閉じ部が、設けられていて、
前記本体部には、前記蓋体部を開いた時に、複数個の前記収納部中の収納物が前記財布から脱落するのを防止する脱落防止部が、設けられている、
ことを特徴とする財布。
【発明の詳細な説明】
【技術分野】
【０００１】
本発明は、財布に関する。
【背景技術】
【０００２】
財布として以下の特許文献１がある。特許文献１の財布は、金銭収納部および係止可能な開閉蓋を有し、開閉蓋の内面適所に、硬貨脱落防止のためのストッパーを設けたものである。特許文献１の財布は、開閉蓋の内面適所のストッパーにより、金銭収納部内の硬貨が落下するのを防止できる。
【先行技術文献】
【特許文献】
【０００３】
【特許文献１】実用新案登録第３０７６９４５号公報
【発明の概要】
【発明が解決しようとする課題】
【０００４】
かかる財布においては、金銭収納部内の硬貨が落下するのを確実に防止できることが好ましい。
【０００５】
この発明が解決しようとする課題は、収納部中の収納部が落下するのを確実に防止できる、財布を提供することにある。
【課題を解決するための手段】
【０００６】
この発明の財布は、複数個の収納部を有し、かつ、複数個の収納部には開口部がそれぞれ設けられている財布であって、この財布が、一部分の本体部と、残りの一部分の蓋体部と、を備え、蓋体部が、本体部に対して開閉でき、少なくとも１個の開口部の縁には、蓋体部を閉じた時に、少なくとも１個の開口部を閉じる閉じ部が、設けられている、ことを特徴とする。
【０００７】
この発明の財布において、少なくとも１個の収納部が、蓋体部に設けられている硬貨収納部であり、閉じ部が、硬貨収納部の開口部の縁に設けられている、ことが好ましい。
【０００８】
この発明の財布において、本体部には、蓋体部を開いた時に、複数個の収納部中の収納物が財布から脱落するのを防止する脱落防止部が、設けられている、ことが好ましい。
【０００９】
この発明の財布において、少なくとも１個の収納部が、蓋体部に設けられている硬貨収納部であり、硬貨収納部の開口部の縁が、開閉する２つの縁からなり、閉じ部が、硬貨収納部の開口部の２つの縁にそれぞれ設けられていて、硬貨収納部の開口部の一方の縁に設けられている閉じ部には、蓋体部を開いた時に、展開して、硬貨収納部中の硬貨が財布から脱落するのを防止する硬貨脱落防止部が、設けられている、ことが好ましい。
【００１０】
この発明の財布は、硬貨収納部、紙幣収納部およびカード収納部の複数個の収納部を有し、かつ、複数個の収納部には開口部がそれぞれ設けられている財布であって、この財布が、紙幣収納部およびカード収納部が設けられている一部分の本体部と、硬貨収納部が設けられていて、本体部に対して開閉できる残りの一部分の蓋体部と、を備え、硬貨収納部の開口部の縁には、蓋体部を閉じた時に、硬貨収納部の開口部を閉じる閉じ部が、設けられていて、本体部には、蓋体部を開いた時に、複数個の収納部中の収納物が財布から脱落するのを防止する脱落防止部が、設けられている、ことを特徴とする。
【発明の効果】
【００１１】
この発明の財布によれば、収納部中の収納部が落下するのを確実に防止できる。
【図面の簡単な説明】
【００１２】
【図１】図１は、この発明にかかる財布の実施形態１を示す斜視図（蓋体部が本体部に対して閉じた状態を示す斜視図）である。
【図２】図２は、蓋体部が本体部に対して開いている途中の状態を示す斜視図である。
【図３】図３は、蓋体部が本体部に対して開いた状態を示す斜視図である。
【図４】図４は、蓋体部が本体部に対して開いた状態であって、硬貨収納部の開口部および閉じ部を開いた状態を示す斜視図である。
【図５】図５は、蓋体部が本体部に対して開いた状態であって、紙幣収納部中に紙幣が収納されている状態を示す斜視図である。
【図６】図６は、蓋体部が本体部に対して開いた状態であって、カード収納部中にカードが収納されている状態を示す斜視図である。
【図７】図７は、蓋体部が本体部に対して閉じた状態の内部を示す概略断面図（図１におけるＶＩＩ−ＶＩＩ線概略断面図）である。
【図８】図８は、蓋体部が本体部に対して開いた状態の内部を示す概略断面図（図３におけるＶＩＩＩ−ＶＩＩＩ線概略断面図）である。
【図９】図９は、構成部品の一部を示す平面図（上から見た図）である。
【図１０】図１０は、同じく、構成部品の一部を示す平面図（上から見た図）である。
【図１１】図１１は、同じく、構成部品の一部を示す平面図（上から見た図）である。
【図１２】図１２は、この発明にかかる財布の実施形態２を示す斜視図（蓋体部が本体部に対して開いた状態を示す斜視図）である。
【図１３】図１３は、蓋体部が本体部に対して開いた状態であって、硬貨収納部の開口部および閉じ部を開き、かつ、脱落防止部を展開した状態を示す斜視図である。
【発明を実施するための形態】
【００１３】
以下、この発明にかかる財布の実施形態（実施例）の２例を図面に基づいて詳細に説明する。なお、図面は、概略図である。また、図７および図８の概略断面図は、実際の製品の財布の厚さ（肉厚、板厚）に対して、厚く図示されている。さらに、この明細書において、「上」「下」は、図面上の「上」「下」である。
【００１４】
（実施形態１の構成の説明）
図１〜図１１は、この発明にかかる財布の実施形態１を示す。以下、この実施形態１にかかる財布の構成について説明する。
【００１５】
（財布１の説明）
図１〜図８中において、符号「１」は、この実施形態１にかかる財布である。財布１は、この例では、正方形の板形状をなす。なお、財布１の形状は、特に限定しない。また、財布１の材質も、特に限定しない。材質としては、財布に適した材質、たとえば、革（天然革、人工革）、合成樹脂、紙などである。
【００１６】
財布１は、一部分の本体部１０と、残りの一部分の蓋体部１１と、を備える。なお、財布１は、本体部１０および蓋体部１１以外の部分を備えていても良い。蓋体部１１は、本体部１０に対して開閉できる。
【００１７】
本体部１０は、この例では、正方形の板形状をなす。一方、蓋体部１１は、この例では、直角二等辺三角形の板形状をなす。本体部１０の４つの各辺の長さと、蓋体部１１の２つの各等辺の長さとは、等しい。蓋体部１１の底辺は、本体部１０の対角線に、連結線１２を介して、開閉可能に連続して設けられている。
【００１８】
蓋体部１１を閉じた時に、本体部１０と蓋体部１１との相互に対向する面（以下、「内側面」と称する）には、止具１３、１４がそれぞれ設けられている。止具１３、１４は、この例では、鳩目、ホックなどである。なお、止具１３、１４は、面ファスナーであっても良い。
【００１９】
（硬貨収納部２、紙幣収納部３およびカード収納部４の説明）
財布１は、図３〜図８に示すように、硬貨収納部２、紙幣収納部３およびカード収納部４を有する。すなわち、財布１は、複数個の収納部２、３、４を有する。この複数個の収納部２、３、４には、開口部２０、３０、４０がそれぞれ設けられている。
【００２０】
硬貨収納部２は、蓋体部１１中に設けられている。開口部２０は、蓋体部１１の内側面であって、直角二等辺三角形の蓋体部１１の底辺に対応する箇所に、設けられている。硬貨収納部２中には、硬貨２１が開口部２０を経て収納されている。硬貨収納部２中の硬貨２１は、開口部２０を経て取り出される。
【００２１】
紙幣収納部３は、本体部１０中に設けられている。開口部３０は、本体部１０の内側面であって、正方形の本体部１０の対角線に対応する箇所に、設けられている。紙幣収納部３中には、紙幣３１の一部分が開口部３０を経て収納されている。紙幣収納部３中の紙幣３１は、開口部３０を経て取り出される。
【００２２】
カード収納部４は、本体部１０中に、紙幣収納部３と隣り合わせに設けられている。開口部４０は、スリットである。開口部４０は、本体部１０の内側面であって、正方形の本体部１０の２つの辺から中央部側の箇所に、それぞれ設けられている。
【００２３】
カード収納部４中には、カード４１の大部分が開口部４０を経て収納されている。カード収納部４中のカード４１は、開口部４０を経て取り出される。なお、スリットの２本の開口部４０が設けられている本体部１０の内側面は、蓋体部１１を開いた時に、外側に露出し、蓋体部１１を閉じた時に、蓋体部１１により覆い隠される。
【００２４】
（閉じ部１５、１６、１７の説明）
硬貨収納部２の開口部２０の縁は、開閉する２つの縁からなる。硬貨収納部２の開口部２０の２つの縁には、閉じ部１５、１６、１７がそれぞれ設けられている。閉じ部１５、１６、１７は、図７に示すように、蓋体部１１を閉じた時に、硬貨収納部２の開口部２０を閉じる。
閉じ部１５、１６、１７は、この例では、フラップ形状をなす。なお、閉じ部１５、１６、１７は、フラップ形状以外の形状であっても良い。
【００２５】
閉じ部１５は、硬貨収納部２の開口部２０の一方の縁に設けられている。また、閉じ部１６、１７は、硬貨収納部２の開口部２０の他方の縁に設けられている。
なお、閉じ部１７は、他方の縁に設けられている閉じ部１６の補助部である。したがって、閉じ部１７は、設けなくても良い。また、硬貨収納部２の開口部２０の２つの縁のうちのいずれか一方に縁に、閉じ部を設けたものであっても良い。
【００２６】
（脱落防止部１８の説明）
本体部１０の内側面には、脱落防止部１８が、正方形の本体部１０の２つの辺に沿って設けられている。脱落防止部１８は、図５、図６に示すように、蓋体部１１を開いた時に、紙幣収納部３から紙幣３１およびカード収納部４からカード４１が財布１から脱落するのを防止する。
すなわち、脱落防止部１８は、本体部１０の内側面側に折り畳まれて、紙幣３１およびカード４１の一部を、本体部１０と共に挟み込む。これにより、脱落防止部１８は、紙幣３１およびカード４１の脱落を防止する。
【００２７】
脱落防止部１８は、この例では、フラップ形状をなす。なお、脱落防止部１８は、フラップ形状以外の形状であっても良い。また、脱落防止部１８は、硬貨収納部２から硬貨２１が財布１から脱落するのを防止することもできる。
【００２８】
（財布１の構成部品の説明）
財布１は、下記の構成部品から構成されている。
すなわち、図９〜図１１に示すように、財布１は、２枚の第１カバー部材としての上カバー部材５０、５１と、１枚の第１仕切部材としての上仕切部材６と、２枚の閉じ部形成部材１６０、１７０と、１枚の第２仕切部材としての中仕切部材７と、１枚の第３仕切部材としての下仕切部材８と、１枚の第２カバー部材としての下カバー部材９と、から構成されている。
上記の各構成部品は、薄い部材から構成されている。
【００２９】
（上カバー部材５０、５１の説明）
図９に示すように、２枚の上カバー部材５０、５１は、それぞれ、平面視（上から見た状態）直角二等辺三角形をなす。一方の上カバー部材５０は、本体部１０を構成する。他方の上カバー部材５１は、蓋体部１１を構成する。
【００３０】
上カバー部材５０、５１の３辺の縁には、それぞれ、接着部５００、５１０が設けられている。なお、接着部５００、５１０は、上カバー部材５０、５１の適宜箇所もしくは全面に設けても良い。
【００３１】
（上仕切部材６の説明）
図９に示すように、上仕切部材６は、平面視（上から見た状態）正方形をなす。上仕切部材６の１本の対角線には、折曲線６０が設けられている。
【００３２】
上仕切部材６の折曲線６０に対して一方の部分は、一方の上カバー部材５０と共に本体部１０を構成する。上仕切部材６の一方の部分の直角二等辺三角形と、一方の上カバー部材５０の直角二等辺三角形とは、等しい。
【００３３】
上仕切部材６の折曲線６０に対して他方の部分は、他方の上カバー部材５１と共に蓋体部１１を構成する。上仕切部材６の他方の部分の直角二等辺三角形と、多方の上カバー部材５１の直角二等辺三角形とは、等しい。
【００３４】
上仕切部材６の他方の部分の直角の角部の内面には、他方の止具１４が設けられている。上仕切部材６の４辺の縁および折曲線６０の両側部には、接着部６１が設けられている。なお、接着部６１は、上仕切部材６の適宜箇所もしくは全面に設けても良い。
【００３５】
（閉じ部形成部材１６０、１７０の説明）
図１０に示すように、２枚の閉じ部形成部材１６０、１７０は、それぞれ、平面視（上から見た状態）縦長（もしくは横長）の六角形をなす。閉じ部形成部材１６０、１７０の六角形と、上仕切部材６の折曲線６０の両側部の接着部６１の六角形とは、等しい。
【００３６】
閉じ部形成部材１６０、１７０には、それぞれ、長い中央線の折曲線１６１、１７１が設けられている。閉じ部形成部材１６０、１７０の折曲線１６１、１７１に対して一方の部分は、それぞれ、閉じ部１６、１７を形成する閉じ部形成部１６２、１７２である。閉じ部形成部材１６０、１７０の折曲線１６１、１７１に対して他方の部分は、それぞれ、接着部１６３、１７３である。
【００３７】
（中仕切部材７の説明）
図１０に示すように、中仕切部材７は、平面視（上から見た状態）五角形をなす。すなわち、中仕切部材７は、平面視（上から見た状態）直角二等辺三角形をなす中仕切部７０と、平面視（上から見た状態）縦長（もしくは横長）の台形をなす閉じ部形成部７１とが、折曲線７２を介して一体に設けられている部材である。
【００３８】
中仕切部７０は、他方の上カバー部材５１および上仕切部材６の他方の部分と共に蓋体部１１を構成する。中仕切部７０の直角二等辺三角形と、他方の上カバー部材５１の直角二等辺三角形および上仕切部材６の他方の部分の直角二等辺三角形とは、等しい。
【００３９】
閉じ部形成部７１は、閉じ部１５を形成する。閉じ部形成部７１の台形と、閉じ部形成部材１６０、１７０の閉じ部形成部１６２、１７２の台形とは、等しい。
【００４０】
中仕切部７０の２辺の縁および閉じ部形成部７１の両側部には、接着部７３が設けられている。なお、接着部７３は、中仕切部７０の適宜箇所もしくは全面に設けても良い。
【００４１】
（下仕切部材８の説明）
図１１に示すように、下仕切部材８は、下仕切部８０と、接着部８１と、脱落防止部形成部８２と、からなる。下仕切部８０は、平面視（上から見た状態）正方形をなす。下仕切部８０の正方形と、上仕切部材６の正方形とは、等しい。
【００４２】
下仕切部８０の隣り合う２つの辺には、２つの接着部８１が、それぞれ、折曲可能に連続して設けられている。下仕切部８０の残りの隣り合う２つの辺には、２つの脱落防止部形成部８２が、それぞれ、折曲可能に連続して設けられている。脱落防止部形成部８２は、脱落防止部１８を形成する。
【００４３】
下仕切部８０の４つの角のうち、２つの脱落防止部形成部８２により挟み込まれている１つの角から若干中央部側の上面には、一方の止具１３が、設けられている。下仕切部８０の４つの辺のうち、２つの脱落防止部形成部８２が設けられている２つの辺から中央部側には、スリットの開口部４０が、それぞれ、辺に対して平行に設けられている。
【００４４】
（下カバー部材９の説明）
図１１に示すように、下カバー部材９は、下カバー部９０と、接着部９１と、脱落防止部形成部９２と、からなる。下カバー部９０は、平面視（上から見た状態）正方形をなす。下カバー部９０の正方形と、下仕切部８０の正方形および上仕切部材６の正方形とは、等しい。
【００４５】
下カバー部９０の隣り合う２つの辺には、２つの接着部９１が、それぞれ、折曲可能に連続して設けられている。下カバー部９０の残りの隣り合う２つの辺には、２つの脱落防止部形成部９２が、それぞれ、折曲可能に連続して設けられている。
【００４６】
（財布１の構成部品の組み付けの説明）
以下、図９〜図１１を参照して、上記の構成部品の組み付けについて説明する。
【００４７】
まず、上カバー部材５０、５１の接着部５００、５１０の下面と、上仕切部材６の接着部６１の上面とを、接着剤１００により、接着する。これにより、上カバー部材５０、５１と上仕切部材６とが、一体となる。
【００４８】
つぎに、上仕切部材６の折曲線６０の両側の接着部６１の下面と、２枚の閉じ部形成部材１６０、１７０の接着部１６３、１７３の上面とを、それぞれ、接着剤１００により、接着する。これにより、上仕切部材６と２枚の閉じ部形成部材１６０、１７０とが、一体となる。
【００４９】
つづいて、上仕切部材６の他方の部分の接着部６１の下面と、中仕切部材７の中仕切部７０の接着部７３の上面とを、接着剤１００により、接着する。これにより、上仕切部材６と中仕切部材７とが、一体となる。
【００５０】
すなわち、他方の上カバー部材５１、上仕切部材６の他方の部分および中仕切部材７により、蓋体部１１と硬貨収納部２とが構成される。
なお、一方の閉じ部形成部材１６０の閉じ部形成部１６２の両端部の下面と、中仕切部材７の閉じ部形成部７１の接着部７３の上面とは、接着剤１００により、接着されている。
【００５１】
それから、中仕切部材７の閉じ部形成部７１（図７中の閉じ部１５を参照）を、折曲線７２において折り曲げて、中仕切部材７の中仕切部７０の下側に重ねる。
また、一方の閉じ部形成部材１６０の閉じ部形成部１６２（図７中の閉じ部１６を参照）を、折曲線１６１において折り曲げて、中仕切部材７の閉じ部形成部７１（図７中の閉じ部１５を参照）の下側に重ねる。
さらに、他方の閉じ部形成部材１７０の閉じ部形成部１７２（図７中の閉じ部１７を参照）を、一方の閉じ部形成部材１６０の閉じ部形成部１６２（図７中の閉じ部１６を参照）の下側に重ねる。
【００５２】
前記の重ね合わせにより、一方の閉じ部形成部材１６０の閉じ部形成部１６２（図７中の閉じ部１６を参照）と、中仕切部材７の閉じ部形成部７１（図７中の閉じ部１５を参照）との間には、硬貨収納部２の開口部２０が形成される。
すなわち、硬貨収納部２の開口部２０の両側の縁に、閉じ部１５、１６が設けられる。
【００５３】
一方、下仕切部材８の接着部８１の下面、脱落防止部形成部８２の下面と、下カバー部材９の接着部９１の上面、脱落防止部形成部９２の上面とを、それぞれ、接着剤１００により、相互に接着する。
【００５４】
接着した接着部８１、９１および脱落防止部形成部８２、９２を、それぞれ、下仕切部材８の下仕切部８０の上面に折り返す。
折り返した接着部８１、９１と、下仕切部材８の下仕切部８０の上面とを、それぞれ、接着剤１００により、相互に接着する。
【００５５】
これにより、開口部４０を有するカード収納部４が構成される。また、脱落防止部形成部８２、９２は、蓋体部１１を開けて、展開することにより、脱落防止部１８を形成する。
【００５６】
そして、上仕切部材６の一方の部分の接着部６１の下面と、下仕切部材８および下カバー部材９の折り返した接着部８１、９１とを、それぞれ、接着剤１００により、相互に接着する。
なお、概略断面図の図７において、上仕切部材６の接着部６１の接着剤１００と、下仕切部材８および下カバー部材９の折り返した接着部８１、９１の接着剤１００とは、二点鎖線にて離れた状態で図示されている。
しかしながら、実際の製品においては、両者は、接着している、状態である。
【００５７】
これにより、本体部１０と紙幣収納部３とが構成される。しかも、他方の閉じ部形成部材１７０の閉じ部形成部１７２（図７中の閉じ部１７を参照）と、下仕切部材８の下仕切部８０との間には、紙幣収納部３の開口部３０が形成される。
【００５８】
以上のようにして、上記の構成部品を組み付けることにより、財布１が構成される。
なお、概略断面図の図７において、本体部１０と蓋体部１１とは、離れた状態で図示されている。
しかしながら、実際の製品においては、両者は、接している、状態である。
【００５９】
（実施形態１の作用の説明）
この実施形態１にかかる財布１は、以上のごとき構成からなり、以下、その作用について説明する。
【００６０】
図３〜図６、図８に示すように、財布１の本体部１０と蓋体部１１との止具１３、１４を外して、蓋体部１１を連結線１２において本体部１０に対して開く。
【００６１】
この開いた状態において、図３、図４に示すように、硬貨２１を硬貨収納部２中に開口部２０を経て収納し、または、硬貨２１を硬貨収納部２中から開口部２０を経て取り出す。
また、図５に示すように、紙幣３１を紙幣収納部３中に開口部３０を経て収納し、または、紙幣３１を紙幣収納部３中から開口部３０を経て取り出す。
さらに、図６に示すように、カード４１をカード収納部４中に開口部４０を経て収納し、または、カード４１をカード収納部４中に開口部４０を経て取り出す。
【００６２】
図１、図７に示すように、蓋体部１１を連結線１２において本体部１０に対して閉じ、本体部１０と蓋体部１１との止具１３、１４を止める。これにより、各収納部（硬貨収納部２、紙幣収納部３およびカード収納部４）中に、収納物（硬貨２１、紙幣３１およびカード４１）が、収納される。
【００６３】
（実施形態１の効果の説明）
この実施形態１にかかる財布１は、以上のごとき構成および作用からなり、以下、その効果について説明する。
【００６４】
この実施形態１にかかる財布１は、蓋体部１１の硬貨収納部２の開口部２０の縁に閉じ部１５、１６、１７を設けた。この結果、この実施形態１にかかる財布１によれば、図７に示すように、蓋体部１１を本体部１０に閉じると、閉じ部１５、１６、１７が折り返されて、開口部２０が閉じられる。
これにより、この実施形態１にかかる財布１は、蓋体部１１を閉じた時、硬貨収納部２の開口部２０が閉じるので、硬貨収納部２中から硬貨２１が開口部２０を経て落下するのを確実に防止できる。
【００６５】
この実施形態１にかかる財布１は、本体部１０に脱落防止部１８を設けた。この結果、この実施形態１にかかる財布１によれば、図５、図６に示すように、本体部１０と脱落防止部１８とが紙幣３１の一部およびカード４１の一部を挟み込む。
これにより、この実施形態１にかかる財布１は、蓋体部１１を開いた時に、紙幣３１が紙幣収納部３から抜けて、また、カード４１がカード収納部４から抜けて、紙幣３１およびカード４１が財布１から脱落するのを防止できる。
【００６６】
（実施形態２の説明）
図１２、図１３は、この発明にかかる財布の実施形態２を示す。以下、この実施形態２にかかる財布１Ａについて説明する。図中、図１〜図１１と同符号は、同一のものを示す。
【００６７】
この実施形態２にかかる財布１Ａは、硬貨収納部２の開口部２０の一方の縁に設けられている閉じ部１６Ａに硬貨脱落防止部１８Ａを設けた。閉じ部１６Ａは、本体部１０の半分の部分（蓋体部１１が閉じた時に、蓋体部１１が対向する部分）と同等の面積を有する。硬貨脱落防止部１８Ａは、閉じ部１６Ａから外側に延長して設けられている。
【００６８】
硬貨脱落防止部１８Ａは、蓋体部１１を閉じた時に、閉じ部１６Ａに折り畳まれる（図１２を参照）。また、硬貨脱落防止部１８Ａは、図１３に示すように、蓋体部１１を開いた時に、閉じ部１６Ａから展開する。これにより、硬貨脱落防止部１８Ａは、硬貨収納部２中の硬貨２１が財布１Ａから脱落するのを防止する。
【００６９】
この実施形態２にかかる財布１Ａは、以上のごとき構成からなるので、前記の実施形態１にかかる財布１とほぼ同様の作用効果を達成することができる。
【００７０】
（実施形態１、２以外の例の説明）
なお、前記の実施形態１、２においては、構成部品を接着剤１００により接着して財布１、１Ａを構成するものである。しかしながら、この発明においては、構成部品を、接着剤１００の接着以外に、たとえば、溶着や圧着により、また、縫製により、財布１、１Ａを構成しても良い。
【００７１】
また、前記の実施形態１、２においては、蓋体部１１の硬貨収納部２の開口部２０の縁に閉じ部１５、１６、１７を設けたものである。しかしながら、この発明においては、閉じ部を、蓋体部１１の硬貨収納部２の開口部２０の縁以外に設けても良い。
たとえば、本体部１０の紙幣収納部３の開口部３０の縁に閉じ部を設けても良い。
【００７２】
なお、この発明は、前記の実施形態１、２により限定されるものではない。
【符号の説明】
【００７３】
１、１Ａ  財布
１０  本体部
１１  蓋体部
１２  連結線
１３、１４  止具
１５、１６、１７、１６Ａ  閉じ部
１６０、１７０  閉じ部形成部材
１６１、１７１  折曲線
１６２、１７２  閉じ部形成部
１６３、１７３  接着部
１８  脱落防止部
１８Ａ  硬貨脱落防止部
１００  接着剤
２  硬貨収納部
２０  開口部
２１  硬貨
３  紙幣収納部
３０  開口部
３１  紙幣
４  カード収納部
４０  開口部
４１  カード
５０、５１  上カバー部材
５００、５１０  接着部
６  上仕切部材
６０  折曲線
６１  接着部
７  中仕切部材
７０  中仕切部
７１  閉じ部形成部
７２  折曲線
７３  接着部
８  下仕切部材
８０  下仕切部
８１  接着部
８２  脱落防止部形成部
９  下カバー部材
９０  下カバー部
９１  接着部
９２  脱落防止部形成部
【図１】
2020089544.tif 000003
【図２】
2020089544.tif 000004
【図３】
2020089544.tif 000005
【図４】
2020089544.tif 000006
【図５】
2020089544.tif 000007
【図６】
2020089544.tif 000008
【図７】
2020089544.tif 000009
【図８】
2020089544.tif 000010
【図９】
2020089544.tif 000011
【図１０】
2020089544.tif 000012
【図１１】
2020089544.tif 000013
【図１２】
2020089544.tif 000014
【図１３】
2020089544.tif 000015